(57)【要約】      （修正有）【課題】スケジュールを基準となる日時を設定することで一括登録できるシステムを提供する。【解決手段】スケジュールを提供したい会社や人は、アプリケーション作成会社にてスケジュールが登録されたアプリケーション作成依頼をし１、アプリケーションストアやＷｅｂサーバにアップロードする２。スケジュールを登録したいユーザは、ユーザ端末にＷｅｂサーバからメールによる受信３もしくは、アプリケーションストアからダウンロード４して、ユーザ端末にてスケジュールが登録されたアプリケーションを起動し、ユーザ端末のカレンダーアプリに任意の日時でスケジュールを登録する５。また、登録されたスケジュールをカレンダーアプリから参照してスケジュールの場所に記載された名称を選択すると、ユーザの端末から地図アプリケーションが起動し、上記場所に登録された名称が検索され地図アプリケーションに表示される６。【選択図】図１
2016194890.tif 000002
【特許請求の範囲】
【請求項１】
スケジュールをユーザの端末のカレンダー情報に一括登録するシステムであって、目的に対する１つまたは複数の日時が設定されていない日程には、指定された日付からの日数情報、題名、開始終了時刻、通知時刻、場所、前記目的の内容説明文、ＵＲＬなど前記ユーザの端末のカレンダー情報に登録できる情報から１つのアプリケーションとして生成した情報を記憶するスケジュール情報記憶手段と
前記スケジュール情報記憶手段を前記ユーザの端末上に読み出し、前記ユーザの端末内のカレンダー情報に対し、前記スケジュール情報記憶手段のアプリケーションに基準となる登録日時を設定することで前記アプリケーション内の日時が設定されていない日程に前記登録日と前記指定された日付からの日数情報で日付を算出し、生成されたスケジュール情報を前記ユーザの端末のカレンダー情報に登録する手段とを備えていることを特徴とするスケジュール一括登録システム。
【発明の詳細な説明】
【技術分野】
【０００１】  本発明は、任意のスケジュールをユーザ端末に任意の日時で一括登録することで自分のスケジュールとして利用できることを支援するシステムに関するものである。
【背景技術】
【０００２】  従来は、スケジュールを手動でユーザ端末のカレンダーに登録するため多くのスケジュールを手動で登録することは時間がかかる。
また、例えば、野菜の育て方など長期的なスケジュールは、本などで大まかなスケジュールがあるだけで種を植えた時期や収穫の時期にあわせてスケジュールを自分のスケジュールとしてユーザ端末のカレンダーに登録することは、手間のかかる作業であった。
【発明の概要】
【発明が解決しようとする課題】
【０００３】  しかし、従来のスケジュール登録は、手動で登録するため一度に多くのスケジュールを登録することに時間がかかっていた。そこで、本発明は基準となる日時を登録することで任意のスケジュールを自分のスケジュールとして一括登録できるようにすることを課題とする。
【課題を解決するための手段】
【０００４】  上記課題を解決するために、スケジュールを提供したい会社や人は、アプリケーション作成会社にてスケジュールが登録されたアプリケーション作成を依頼し、アプリケーションストアやＷｅｂサーバにアップロードする。
スケジュールを登録したいユーザは、ユーザ端末にＷｅｂサーバからダウンロードもしくは、Ｗｅｂサーバからメールによる受信もしくは、アプリケーションストアからダウンロードして、ユーザ端末にて、スケジュールが登録されたアプリケーションを起動し、ユーザ端末のカレンダーアプリに登録する日時を指定して、スケジュールを登録する。
【発明の効果】
【０００５】  本発明は次のような効果を奏する。
請求項１に記載されている発明は、あらかじめデータ化されたスケジュールをユーザ端末で一括登録することができる。
つまり、基準となる登録日時を設定することでスケジュールが自分のスケジュールとして登録されそのスケジュールを実施するための内容に日付、時刻、通知時刻、場所、詳細内容、ＵＲＬ等が登録される。
【図面の簡単な説明】
【０００６】
【図１】  スケジュールの作成からスケジュールの登録、スケジュールの活用図である。
【図２】  スケジュール登録アプリケーションの登録内容の図である。
【図３】  登録されたスケジュールをユーザの携帯端末のカレンダーアプリから参照した図である。
【図４】  カレンダーアプリケーションの場所にある項目を選択した際に起動される地図アプリケーションの図である。
【図５】  カレンダーアプリケーションのＵＲＬを選択した際に起動されるＷｅｂページ表示アプリケーションの図である。
【図６】  スケジュール登録アプリケーションのフロー図である。
【図７】  スケジュールの場所を選択し地図を表示するフロー図である。
【図８】  登録日の開始日が設定された場合のスケジュール情報と生成されるスケジュールデータのイメージ図である。
【図９】  登録日の終了日が設定された場合のスケジュール情報と生成されるスケジュールデータのイメージ図である。
【発明を実施するための形態】
【０００７】  種を売る会社があるとする、種を売るために野菜を作るスケジュールを作成する。
スケジュールには、種まき、間引き、追肥時期、収穫があるとする。
図２は、利用者が種まきの日時を登録すると間引きやそれ以降のスケジュールが自動的にカレンダーに登録されるアプリケーションである。図６は、図２のアプリケーションの登録手順であり、アプリケーションを起動後、登録カレンダーを選択し、登録日が開始日か終了日かを選択し日付と時刻を選択する。次に登録イベントが複数ある場合は、不要なスケジュールを外すこともできる。最後に登録ボタンを押してスケジュールが一括でユーザの端末に登録される。
【０００８】  図３は、登録されたスケジュールをユーザの端末で表示した画面である。画面内の場所の項目にある「○○ホームセンター」を押した場合、図４の地図アプリケーションが起動しユーザの端末を基準に近所の「○○ホームセンター」を検索し地図上に表示したものであり、図７は、図３から図４が表示されるまでのフロー図である。
また、図３のＵＲＬを押した場合、図５の種を売る会社や通信販売のホームページへリンクをＷｅｂページ表示アプリケーションに表示することができる。
【０００９】  図８は、図２で登録日を開始日に設定した場合のデータイメージである。例えば種まきの日を登録日として収穫までのスケジュールに自動で日付を作成する。
図９は、図２で登録日を終了日に設定した場合のデータイメージである。例えば収穫日を登録日とすることでいつに種まきをする必要があるのかまでのスケジュールに自動で日付を作成する。
【符号の説明】
【００１０】  ２００  スケジュール登録アプリケーションの画面
３００  携帯端末のカレンダーアプリケーションの画面
４００  地図アプリケーションの画面
５００  Ｗｅｂページ表示アプリケーションの画面
【図１】
2016194890.tif 000003
【図２】
2016194890.tif 000004
【図３】
2016194890.tif 000005
【図４】
2016194890.tif 000006
【図５】
2016194890.tif 000007
【図６】
2016194890.tif 000008
【図７】
2016194890.tif 000009
【図８】
2016194890.tif 000010
【図９】
2016194890.tif 000011